(57)【要約】【課題】  表示用照明装置において軽量化を図りながら発光面の全体照度（輝度）照度を向上させる。【解決手段】  光源５が内蔵された本体ケース１と、本体ケース１の内部に端縁部を収容して設けられた表面側の導光パネル２ａと、本体ケース１の内部に端縁部を収容し光源５の直径と略同じ間隔で表面側の導光パネル２ａと対向して設けられた裏面側の導光パネル２ｂとを備え、表面側の導光パネル２ａと裏面側の導光パネル２ｂとを、光源５の光が表面側の導光パネル２ａと裏面側の導光パネル２ｂとの各々の光源５側の端面より導入されるように配置し、表面側の導光パネル２ａと裏面側の導光パネル２ｂとの間に両面が反射面で形成された反射板１４を設けるとともに反射板１４と表面側および裏面側の導光パネル２ａ，２ｂとの間に空気層１５を形成した。【選択図】  図１
2006091040.tif 000002
【特許請求の範囲】
【請求項１】
光源が内蔵された本体ケースと、
前記本体ケースの内部に端縁部を収容して設けられた表面側の導光パネルと、
前記本体ケースの内部に端縁部を収容し前記光源の直径と略同じ間隔で前記表面側の導光パネルと対向して設けられた裏面側の導光パネルとを備え、
前記表面側の導光パネルと前記裏面側の導光パネルとを、前記光源の光が表面側の導光パネルと裏面側の導光パネルとの各々の光源側の端面より導入されるように配置し、
前記表面側の導光パネルと前記裏面側の導光パネルとの間に両面が反射面で形成された反射板を設けるとともに前記反射板と前記表面側および裏面側の導光パネルとの間に空気層を形成したことを特徴とする表示用照明装置。
【請求項２】
前記表面側の導光パネルと前記裏面側の導光パネルとの本体ケース内部に挿入された部分の各々のパネルの外側面に遮光部を設けた請求項１記載の表示用照明装置。
【請求項３】
導光パネルの光源とは反対側の端面に底部反射板を設けた請求項１または２記載の表示用照明装置。
【発明の詳細な説明】
【技術分野】
【０００１】
この発明は、表示用照明装置に関するものである。
【背景技術】
【０００２】
従来、表示用照明装置として、表示面の背面に配置した導光板に光源からの光を入射させて表示面を照明する表示灯や誘導灯などがある（特許文献１参照）。この照明装置は、導光板と、導光板の端部の長手方向に沿って配置する線状の光源とをハウジング内に設け、この光源からの光を導光板内に入射させて表示面に照射するものである。両側に表示面を有する場合、ハウジング内に導光板を２つ有し、両導光板の間に光を導く隙間を設けている。また、光源の近傍であって導光板の背面に光を反射させる遮光部を設けることで、光を導光板の光源と反対の端部側へ入射し、表示面の均整度を向上させている。
【特許文献１】特開平２−９４２０３号公報
【発明の開示】
【発明が解決しようとする課題】
【０００３】
上記表示用照明装置においては、透明アクリル板の背面にドット印刷またはＶ溝カットした導光板を用いて表示している。しかしながら、表示面の均整度を向上させるために、厚さｔ８〜ｔ１０程度の透明アクリル板を用いて光源からの光を導光していたため、質量が大変重く材料の価格も高くなるという問題がある。
【０００４】
したがって、この発明の目的は、軽量化を図りながら発光面の全体照度（輝度）を向上させることができる表示用照明装置を提供することである。
【課題を解決するための手段】
【０００５】
上記課題を解決するためにこの発明の請求項１記載の表示用照明装置は、光源が内蔵された本体ケースと、前記本体ケースの内部に端縁部を収容して設けられた表面側の導光パネルと、前記本体ケースの内部に端縁部を収容し前記光源の直径と略同じ間隔で前記表面側の導光パネルと対向して設けられた裏面側の導光パネルとを備え、前記表面側の導光パネルと前記裏面側の導光パネルとを、前記光源の光が表面側の導光パネルと裏面側の導光パネルとの各々の光源側の端面より導入されるように配置し、前記表面側の導光パネルと前記裏面側の導光パネルとの間に両面が反射面で形成された反射板を設けるとともに前記反射板と前記表面側および裏面側の導光パネルとの間に空気層を形成した。
【０００６】
請求項２記載の表示用照明装置は、請求項１記載の表示用照明装置において、前記表面側の導光パネルと前記裏面側の導光パネルとの本体ケース内部に挿入された部分の各々のパネルの外側面に遮光部を設けた。
【０００７】
請求項３記載の表示用照明装置は、請求項１または２記載の表示用照明装置において、導光パネルの光源とは反対側の端面に底部反射板を設けた。
【発明の効果】
【０００８】
この発明の請求項１記載の表示用照明装置によれば、表面側の導光パネルと裏面側の導光パネルとを、光源の光が表面側の導光パネルと裏面側の導光パネルとの各々の光源側の端面より導入されるように配置し、表面側の導光パネルと裏面側の導光パネルとの間に両面が反射面で形成された反射板を設けるとともに反射板と表面側および裏面側の導光パネルとの間に空気層を形成したので、光源からの光は導光パネル内に導光される光と、導光パネルと反射板間に照射される直射光に分かれ、これらの直射光と導光を組合せることにより発光面の全体照度（輝度）が向上する。またこのように直射光を併用したことに伴い、導光パネルを薄くすることができるため、質量が軽くなり、製造、搬入等の取り扱いが容易になり、施工性も向上し材料のコストダウンを図ることができる。
【０００９】
請求項２では、表面側の導光パネルと裏面側の導光パネルとの本体ケース内部に挿入された部分の各々のパネルの外側面に遮光部を設けたので、本体ケース側の照度を抑えることができる。これにより、本体ケース側が異常に明るくなることはなく、導光パネルの均整度が向上する。
【００１０】
請求項３では、導光パネルの光源とは反対側の端面に底部反射板を設けたので、底部反射板により光源側へ正反射し均整度が向上する。
【発明を実施するための最良の形態】
【００１１】
この発明の実施の形態の表示用照明装置を図１〜図４に基づいて説明する。図１は本発明の実施形態の表示用照明装置の断面図、図２はその要部拡大図、図３（ａ）は本発明の実施形態の表示用照明装置の正面図、（ｂ）は平面図、（ｃ）は側面図、図４は図３（ａ）の一部破断拡大図である。
【００１２】
この表示用照明装置は、図３および図４に示すように、ランプ（光源）５が内蔵された本体ケース１と、導光パネル２および乳白パネル３と、これらのパネル２，３を支持するフレーム４とを備えている。
【００１３】
本体ケース１は、図１に示すように、両側板１ａと天板１ｂを有する略溝形に鋼板等で形成され、内部にランプ５を接続するソケット６、安定器１６およびランプ５を囲むように反射板７が設けてある。また、パネル２，３を取付けるための取付金具８が、パネル２，３の端縁部を挟み込むように配置される。本体ケース１の天板１ｂには、電源穴９および天井に取付けるための取付ボルト用の穴１０が設けてある（図３）。また、本体ケース１の一方の側板１ａは、ヒンジ等により天板１ｂに回動自在に取付けられている。これにより本体ケース１を開閉することができ、閉状態で一方の側板１ａはマグネット１１により取付金具８に吸着して固定される。この場合、複数のランプ５毎に開閉可能な側板１ａを有し、連結部１７が約１ｍｍの隙間で連結されている。フレーム４はランプ５側の端縁部を除くパネル２，３の周囲に配置され、フレーム４のうち側方に配置されるエンドフレーム４ａは本体ケース１の端板１ｃに固定される。
【００１４】
導光パネル２は、図２に示すように、本体ケース１の内部に端縁部を収容して設けられた表面側の導光パネル２ａと、本体ケース１の内部に端縁部を収容しランプ５の直径と略同じ間隔で表面側の導光パネル２ａと対向して設けられた裏面側の導光パネル２ｂとを備えている。導光パネル２は、厚さが約４ｍｍのアクリル板からなり、ドット印刷またはＶ溝カットにより表示してある。この場合、複数のランプ５に対して導光パネル２は一枚ものである。また、表面側の導光パネル２ａと裏面側の導光パネル２ｂの端縁部の対向面に透明アクリルからなるリブ１２が突設してあり、パネル２ａ，２ｂ間の間隔を確保している。また、表面側の導光パネル２ａと裏面側の導光パネル２ｂとの本体ケース１内部に挿入された部分の各々のパネルの外側面に遮光部１３を設けている。遮光部１３は黒色の印刷またはカッティングシート貼りにより形成される。
【００１５】
上記表面側の導光パネル２ａと裏面側の導光パネル２ｂとが、ランプ５の光が表面側の導光パネル２ａと裏面側の導光パネル２ｂとの各々のランプ５側の端面より導入されるように配置される。また、表面側の導光パネル２ａの外側に乳白パネル３ａが配置され、裏面側の導光パネル２ｂの外側に乳白パネル３ｂが配置される。乳白パネル３は、厚さ約３ｍｍのアクリル板からなる。また、表面側の導光パネル２ａと裏面側の導光パネル２ｂとの間に両面が反射面で形成された反射板１４を設けるとともに反射板１４と表面側および裏面側の導光パネル２ａ，２ｂとの間に空気層１５を形成している。反射板１４は、高拡散粉体塗装された鋼板からなり、導光パネル２と略同じ大きさで端縁部が表面側および裏面側の導光パネル２ａ，２ｂの一対のリブ１２に挟持される。また、反射板１４の本体ケース１内部に挿入された部分の両側面にも、導光パネル２と同様に遮光部１３を設けている。図２において、Ａは本体ケース挿入部、Ｂは遮光部である。
【００１６】
また、フレーム４は、上記のように導光パネル２、乳白パネル３の周囲に配置されることでこれらのパネル２，３を光学的に覆っている。また、導光パネル２のランプ５とは反対側の端面に底部反射板１８を設けている。底部反射板１８はフレーム４に固定されており、鏡面反射板にすることが望ましい。これによりランプ５の光が正反射し均整度が向上する。
【００１７】
施工時には、上記のようにフレーム４で支持された導光パネル２、乳白パネル３、反射板１４等からなる表示パネルの端縁部を本体ケース１内に挿入し、ねじ等の固着具１９で取付金具８に一体に固定する。固定作業は本体ケース１の一方の側板１ａを開けて行う。点灯状態では、ランプ５からの光は導光パネル２内に導光される光と、導光パネル２と反射板１４間の空気層１５に照射される直射光に分かれ、これらの直射光と導光を組合せることにより発光面の全体照度（輝度）が向上する。また、この効果は本実施形態のように複数のランプ５に対して導光パネル２を１枚ものとすることでさらに高くなる。ここで、導光パネルの厚さが４ｍｍで空気層がないと殆ど光らず、従来技術のように厚さ８〜１０ｍｍの導光パネルを用いる必要があるため質量が大変重くなる。本実施形態では、上記のように導光パネル２を薄くし空気層１５を設けることにより、質量が軽くなり、施工性が良くなる。また、本体ケース挿入部Ａに遮光部１３を設けたことにより、本体ケース１側の照度を抑えることができ、均整度が向上する。
【００１８】
なお、導光パネル２の厚さは従来技術より薄ければよい。乳白パネル３はなくてもよい。
【図面の簡単な説明】
【００１９】
【図１】本発明の実施形態の表示用照明装置の断面図である。
【図２】図１の要部拡大図である。
【図３】（ａ）は本発明の実施形態の表示用照明装置の正面図、（ｂ）は平面図、（ｃ）は側面図である。
【図４】図３（ａ）の一部破断拡大図である。
【符号の説明】
【００２０】
１  本体ケース
２  導光パネル
２ａ  表面側の導光パネル
２ｂ  裏面側の導光パネル
５  ランプ
１３  遮光部
１４  反射板
１５  空気層
１８  底部反射板
【図１】
2006091040.tif 000003
【図２】
2006091040.tif 000004
【図３】
2006091040.tif 000005
【図４】
2006091040.tif 000006